(57)【要約】【課題】  建築物の天井下などに配置され、切断必要箇所が壁面に近接していてハンドル操作に支障を受ける箇所での切断作業であっても、迅速に切断作業ができる形鋼材の切断工具を提供すること。【解決手段】  コの字形に凹入された鋼材受入れ空間Ａを備えた鋼材受け部材１と、揺動自在に枢支した左右一対の操作ハンドル３，４と、操作ハンドル３，４の枢軸２１，２２を備えた操作本体２と、先端側に切断刃５１を備えた刃板５と、該刃板５の後端側とハンドル３，４の先端作用部３２，４２との間に連結された作動軸６と、操作本体２に固定されていて、作動軸６を軸線方向に移動自在で軸周方向に回動自在に軸支する軸受け筒７とからなり、鋼材受け部材１と操作本体２とが、作動軸６を軸心として周方向に相対回動可能に形成してあるもの。【選択図】  図１
2008290204.tif 000002
【特許請求の範囲】
【請求項１】
断面コの字形に形成された軽量型鋼材の切断工具であって、
相対向する一方に刃板受け壁(11)と他方に刃板格納壁(12)とを設け、これらを一側で繋ぐ連結壁(13)とによって正面視コの字形に凹入された鋼材受入れ空間(A)を備えた鋼材受け部材(1)と、
少なくとも片方を枢軸によって揺動自在に枢支した左右一対の操作ハンドル(3，4)と、
これらの操作ハンドル(3，4)の少なくとも片方を枢支する枢軸(21)または／及び(22)を備えた操作本体(2)と、
先端側に切断刃(51)を備えた刃板(5)と、
該刃板(5)の後端側と前記ハンドル(3，4)のうち少なくとも片方の先端作用部(32)または／及び(42)との間に連結された作動軸(6)と、
前記操作本体(2)に固定されていて、前記作動軸(6)を軸線方向に移動自在で軸周方向に回動自在に軸支する軸受け筒(7)とからなり、
前記鋼材受け部材(1)と操作本体(2)とが、前記作動軸(6)を軸心として周方向に相対回動可能に形成されている軽量型鋼材の切断工具。
【請求項２】
鋼材受け部材(1)が、所定の間隔を隔てて対向配置された表裏二枚の壁板(10，10)で形成され、その間に刃板(5)が出退自在に挟持されている請求項１に記載の軽量型鋼材の切断工具。
【発明の詳細な説明】
【技術分野】
【０００１】
本発明は、例えば錫めっきや亜鉛めっき、その他適宜の防錆処理を施した薄鉄板や薄鋼板、ステンレス鋼板等の薄い金属板材や金属帯板材を、長手方向に沿って折り曲げ加工し断面形状をコの字形に形成してある、通常チャンネルバーとかＭバーと呼ばれている軽量型鋼材を対象とし、これを任意の箇所で任意の長さに切断する切断工具に関するものである。
【背景技術】
【０００２】
従来から、この種の薄い金属板製の軽量型鋼材を切断する手段としては、先端側に切断刃を形成した刃板を型鋼材の切断箇所に押し付けて、型鋼材に食い込ませて切断する手動用の切断工具があった。
【０００３】
このような切断工具は、左右一対の操作ハンドルを、その間隔を八の字形に広げた状態から、互いに平行する方向に移動操作することによって、切断刃板を切断方向に移動させることによって、型鋼材に突き刺して、または押し切り状に圧接して切断するようにしたものである。このような切断工具は、既に当業者によって使用されており、また、例えば後記特許文献１〜３にみられるように既に公知となっている。
【特許文献１】特開平７−３２８８３４号公報
【特許文献２】特開２００４−３１４２５３号公報
【特許文献３】特開２００６−２５８５０号公報
【発明の開示】
【発明が解決しようとする課題】
【０００４】
前記特許文献１には、
「グリップ２を下部に有するケース１の前側に受刃物４を設け、ケース１の内部から受    刃物４に向けてスライド自在に刃板１５を支持させ、レバー２４の開閉操作を繰り返    し行なって刃板１５を受刃物４に向けて移動させ、受刃物４に保持された軽量形鋼材    ５を刃板１５の押し切りによって切断する」
ようにした軽量形鋼材の切断具が示されている。
【０００５】
また、前記特許文献２には、
「長尺なグリップ３を有する切断具本体２の前側に受刃物４とその手前に形鋼材挿入口    ５を形成し、切断具本体２の内部に進退自在な刃物８を設け、揺動レバー１１を揺動    させて歯車１０を回転させることによって、刃物８を前進させて軽量形鋼材Ｍを切断    する」
ようにした軽量形鋼材の切断具が示されている。
【０００６】
更に、前記特許文献３には、
「溝形材１０の底板部ｃに外嵌するコ字状切刃３を備えた第１挟み杆１と、該第１挟み    杆１の切刃３に対向する台形状切刃４を備えた第２挟み杆２とに夫々連結された開閉    操作用把持杆５，６の開閉操作によって溝形材１０を切断する」
ようにした溝形材用切断工具が示されている。
【０００７】
しかしながら、これらの文献のうち、特許文献１に記載の形鋼材の切断具は、刃板１５を図１，２にみられるように、刃板１５をスライド支持させるケース１が、上下にガイド溝１４を形成してある枠体になっていて、形鋼材Ａを保持させる形材挿入空間５が蓋板６を開閉し支持片７によってピン８で連結することにより閉塞する構造とされているため、形鋼材Ａの切断の都度、形材挿入空間５内への形鋼材Ａの挿入時と、形材挿入空間５内からの形鋼材Ａの取り出し時とに、蓋板６を開閉し支持片７へのピン８による連結操作と解除操作とを行わなければならない構造となっており、また、形鋼材Ａの切断に当たっては、グリップ２に対してレバー２４を繰り返し操作しなければならない構造となっている。そのため、形鋼材Ａの切断加工には相当の手数と時間とを要するという課題を有しているものである。
【０００８】
また、特許文献２に記載の形鋼材切断具並びに特許文献３に記載の形鋼材切断工具は、何れも形鋼材を受入れるための空間が側方に向かってコの字形に開口しているので、この空間内に形鋼材を受入れて直ちに切断姿勢に入ることができる点で、切断作業を迅速にでき好ましい構造となっている。しかしながら、前記特許文献１に記載の切断具をも含めてこれら公知の工具は、その何れのものも、形鋼材に対して開口部が直交する状態でのハンドル姿勢で、ハンドルの伸縮操作をしなければならない構造となっている。
【０００９】
そのため、被切断物である形鋼材が既に建築物等の天井下などに吊り下げられていて、切断必要箇所が壁面近くであって、壁面と平行に配置されている場合には、工具のハンドルを開くと壁面に当たって、開き姿勢にすることができない場合が生じ、ひいては形鋼材を切断できない場合が生じるという課題を有するものであった。このような場合には、金切り鋸や電動回転鋸のような騒音発信源となる切断工具を使用して切断しなければならないという事態が生じていた。
【００１０】
そこで、本発明は、従来のこの種の形鋼材切断工具が有していた課題を根本的に解消することができ、建築物の天井下などに既に吊り下げられたり、他の型枠等に組み付けられたりしている形鋼材であって、壁面近くに沿って配置されていて、即ち、切断必要箇所が壁面に近接している箇所であっても、壁面によって支障を受けることなく、壁面から離れた箇所での切断作業と全く同様に、切断作業を行うことができる形鋼材の切断工具を提供することを目的としたものである。
【課題を解決するための手段】
【００１１】
該目的を達成するために講じた本発明にいうところの軽量型鋼材の切断工具の構成を、実施例において使用した符号を用いて説明すると、断面コの字形に形成された軽量型鋼材の切断工具であって、相対向する一方に刃板受け壁１１と他方に刃板格納壁１２とを設け、これらを一側で繋ぐ連結壁１３とによって正面視コの字形に凹入された鋼材受入れ空間Ａを備えた鋼材受け部材１と、少なくとも片方を枢軸によって揺動自在に枢支した左右一対の操作ハンドル３，４と、これらの操作ハンドル３，４の少なくとも片方を枢支する枢軸２１または／及び２２を備えた操作本体２と、先端側に切断刃５１を備えた刃板５と、
該刃板５の後端側と前記ハンドル３，４のうち少なくとも片方の先端作用部３２または／及び４２との間に連結された作動軸６と、前記操作本体２に固定されていて、前記作動軸６を軸線方向に移動自在で軸周方向に回動自在に軸支する軸受け筒７とからなり、前記鋼材受け部材１と操作本体２とが、前記作動軸６を軸心として周方向に相対回動可能に形成されている構成としたものである。
【００１２】
なお、請求項２に記載の要件は、前記請求項１に記載の軽量型鋼材の切断工具における鋼材受け部材１が、所定の間隔を隔てて対向配置された表裏二枚の壁板１０，１０で形成され、その間に刃板５が出退自在に挟持されている構成としたことにある。
【発明の効果】
【００１３】
以上の構成から明らかなように、本発明の軽量型鋼材の切断工具は、先端側に切断刃を備えた刃板の後端側と操作ハンドルの両方か片方かの先端作用部との間に連結させた作動軸を、操作本体に固定させてある軸受け筒に、軸線方向に移動自在で軸周方向に回動自在に軸支させてあるものとし、鋼材受け部材と操作本体とを、この作動軸を軸心として周方向に相対回動可能に形成してあるので、型鋼材が壁面近くに沿って配置されていて、型鋼材の長手方向に対して型鋼材受け部材が直交し、通常姿勢では壁面に接してハンドルを開くことができないような場合であっても、作動軸を軸心として、鋼材受け部材に対して操作本体を軸周方向に必要角度相対回転させることによって、ハンドルを壁面と直交する姿勢から壁面に沿った平行姿勢に変えることができるので、壁面に災いされることなくハンドルを必要角度に広げて切断作業を行うことができるという顕著な効果を有するものである。
【００１４】
このように型鋼材の切断箇所の如何に左右されることなく、本発明にいうところ切断工具を使用して、ほぼ無騒音状態で軽量型鋼材の切断作業を行うことができるので、騒音禁止区域での工事や夜間工事においても、工事を中断することなく継続して作業できるという効果も期待することができるに至ったのである。
【発明を実施するための最良の形態】
【００１５】
本発明は、その実施に当たって、操作本体２を、所定の間隔を隔てて対向配置させた表裏二枚の壁板２０，２０で形成されているものとし、この内部に、ハンドル固定用枢軸２１，２２によって左右一対の操作ハンドル３，４の軸支部３１，４１を固定してあるものとしたり、何れか一方のハンドルを固定ハンドル３または４として壁板２０に固着させ、何れか他方のハンドル４または３のみを枢軸によって枢支してあるものとして実施してもよい。
【００１６】
また、左右一対の操作ハンドル３，４を軸支部３１，４１を介して壁板２０に枢支させてあるものとした場合には、それぞれの先端側に形成した先端作用部３２，４２によって作動軸６の下端部を挟んでピン８２で連結してあるものとして実施することができ、後者の何れか他方のハンドルのみを枢軸によって枢支してあるものとした場合には、このハンドルの先端作用部３２または４２のみを作動軸６の下端部に連結してあるものとして実施することができる。
【実施例】
【００１７】
以下本発明の実施例について図面に基づいて説明する。図中、図１乃至図８は本発明の第１実施例を示す図である。図１は工具全体の非使用時の状態を示す正面図、図２は図１の状態の内部構造を示す説明用正面図、図３はハンドルを全開状態とした使用直前の状態を示す正面図、図４は図３の状態の内部構造を示す説明用正面図、図５は形鋼材受け部材の角度を変えた状態を示すハンドル全開状態の斜視図、図６は図５の状態の内部構造を示す説明用斜視図、図７は形鋼材受け部材の角度を変えた状態を示す非使用状態の斜視図、図８は図７の状態の内部構造を示す説明用斜視図である。
【００１８】
該第１実施例に示した軽量型鋼材の切断工具は、薄い金属板材を長手方向に沿って折り曲げ加工し断面形状をコの字形に形成してある軽量型鋼材を対象とし、これを任意の箇所で切断するために使用する切断工具に関するものである。言うまでもなく、この軽量型鋼材は、図９の（イ）に示したように、断面コの字形で底壁ｔの両側壁ｆ，ｆを解放端部のままとした形鋼材Ｃや、同図の（ロ）に示したように、対向する両側壁ｆ，ｆの解放端部を更に内側に向かって横一の字形に曲げ形成した形鋼材Ｃや、同図の（ハ）に示したように、両側壁ｆ，ｆの解放端部をハの字形に曲げ形成した形鋼材Ｃ等をも当然対象としているものである。
【００１９】
而して、該実施例に示した切断工具は、図２にみられるように、上部に形鋼材受け部材１を配置し、その下方に、この形鋼材受け部材１と作動軸６を介して連結する操作本体２を配置し、この操作本体２に左右一対の操作ハンドル３，４を枢軸２１，２２を介して連結してある構造としてある。
【００２０】
前記形鋼材受け部材１は、所定の間隔を隔てて、より具体的には、図５〜８に示したように、後述する刃板５を挟持させて出退移動させるに足る間隔を隔てて配置した表裏二枚の壁板１０，１０で形成してある。該壁板１０，１０は、上方に配置した刃板受け壁１１と下方に配置した刃板格納壁１２と、これらを一側で繋ぐ、図１，２において左側で繋ぐ、連結壁１３とによって正面視コの字形に凹入された形鋼材受入れ空間Ａを備えている。また、上方に配置した刃板受け壁１１は、前記形鋼材Ｃにおける両側壁ｆ，ｆを受入れるための複数の切込み溝ｇを空間Ａに向かって開口するように形成してある。
【００２１】
また、前記操作本体２も、図５〜８にみられるように、表裏二枚の壁板２０，２０で形成してあり、左右一対の操作ハンドル３，４の上部近くの軸支部３１，４１から上の部分を挟み込ませて、枢軸２１，２２によって揺動自在に枢支させてある。これら左右一対の操作ハンドル３，４は、この枢軸２１，２２によって、図１，２のように、非使用時のほぼ平行な姿勢から、図３，４のように、互いに相反する方向に開くことができるようにしてある。
【００２２】
前記刃板５は、上端側を三角形状とし、その終端から下を平行状に形成し、全体形状を野球のホームベースに似た５角形状に形成されていて、三角形に形成した先端側縁に切断刃５１を形成してある。
【００２３】
該刃板５の下側中間部と、ハンドル３，４の前記枢支部３１，４１の上側に形成してある先端作用部３２，４２とを、上部固定ピン８１と下部固定ピン８２とによって作動軸６で連結してある。該作動軸６は、図４に示したように、上部軸６１と下部軸６２とを中間軸６３によって相対回転可能に形成してある。
【００２４】
前記操作本体２には、該作動軸６を軸線方向に移動自在とし、軸周方向に回動自在に軸支する軸受け筒７を固定してある。より具体的には、前記刃板５の下側部分を受け止める上部軸１４を軸受け筒７に対して回動可能に支持させてある。このようにすることによって、図５，６及び図７，８に斜視図で示したように、形鋼材受け部材１を操作本体２に対して、作動軸６を軸心として周方向に相対回動できるように形成してある。
【００２５】
図１０乃至１３は、第２実施例を示した図であって、図１０及び１１は、非使用時の状態を示す正面図とその内部構造を示す説明用正面図、図１２及び１３は、ハンドルを全開状態とした使用直前の状態を示す正面図とその内部構造を示す説明用正面図である。該実施例は、前記第１実施例に示した左右一対の操作ハンドル３，４のうちの一方のハンドルを固定ハンドルとした実施例を示したものである。該実施例では、図において左側のハンドル３を固定ハンドルとして、操作本体２を形成する表裏二枚の壁板２０，２０に上下に配した２本の固定ボルト２３，２３で固定してある。言うまでもなく、該実施例の作動軸６は、右側の操作ハンドル４の先端作用部４２のみと連結されていて、その開閉移動操作によって上下移動する構造としてある。その他の点は、前記第１実施例に示したのと同様の構造となっている。
【００２６】
以上本発明の代表的と思われる実施例について説明したが、本発明は必ずしもこれらの実施例に示した構造のみに限定されるものではなく、本発明にいうところの構成要件を備えていて、本発明にいう目的を達成し、かつ、効果を有する範囲内において適宜改変して実施することができるものである。
【産業上の利用可能性】
【００２７】
本発明いうところの軽量型鋼材の切断工具は、従来では困難であった被切断型鋼材が壁面近くに沿って配置されていて、ハンドルを開くと壁面に接するためハンドルの開き操作ができず、型鋼材の切断作業ができないような環境下においても、作動軸を軸心として、形鋼材受け部材を必要角度回転させることによって、ハンドルの開き方向を壁面に沿った平行姿勢に変えることができるので、壁面に災いされることなく切断作業を行うことができるので、市場に提供すると大いに受入れられ重宝に使用される可能性が大なるものである。
【図面の簡単な説明】
【００２８】
【図１】工具全体の非使用時の状態を示す正面図。
【図２】図１の内部構造を示す説明用正面図。
【図３】ハンドルを全開状態とした使用直前の状態を示す正面図。
【図４】図３の内部構造を示す説明用正面図。
【図５】形鋼材受け部材の角度を変えた状態を示すハンドル全開状態の斜視図。
【図６】図５の内部構造を示す説明用斜視図。
【図７】形鋼材受け部材の角度を変えた状態を示す非使用状態の斜視図。
【図８】図７の内部構造を示す説明用斜視図。
【図９】軽量型鋼材を示す斜視図。
【図１０】非使用時の状態を示す正面図。
【図１１】非使用時の状態の内部構造を示す説明用正面図。
【図１２】ハンドルを全開状態とした使用直前の状態を示す正面図。
【図１３】ハンドルを全開状態とした使用直前の内部構造を示す説明用正面図。
【符号の説明】
【００２９】
１  鋼材受け部材
１０  壁板
１１  刃板受け壁
１２  刃板格納壁
１３  連結壁
２  操作本体
２１  枢軸
２２  枢軸
３  操作ハンドル
３２  先端作用部
４  操作ハンドル
４２  先端作用部
５  刃板
５１  切断刃
６  作動軸
７  軸受け筒
Ａ  鋼材受入れ空間
【図１】
2008290204.tif 000003
【図２】
2008290204.tif 000004
【図３】
2008290204.tif 000005
【図４】
2008290204.tif 000006
【図５】
2008290204.tif 000007
【図６】
2008290204.tif 000008
【図７】
2008290204.tif 000009
【図８】
2008290204.tif 000010
【図９】
2008290204.tif 000011
【図１０】
2008290204.tif 000012
【図１１】
2008290204.tif 000013
【図１２】
2008290204.tif 000014
【図１３】
2008290204.tif 000015